(57)【要約】【課題】  水耕栽培を行う植物工場において液肥が通る配管を、植物に害を与えずに洗浄できる配管洗浄方法の提供。【解決手段】  植物を水耕栽培する水耕栽培装置において液肥が通る配管を洗浄する配管洗浄方法であって、  前記配管に洗浄水を通過させて前記配管を洗浄する工程を含み、  前記洗浄水が、液体と固体とを含み、  前記液体は、前記配管内の汚れを溶解可能な性質を持ち、  前記固体は、前記汚れを剥離可能な性質と、前記液体に溶解可能な性質とを持つ配管洗浄方法である。【選択図】図１
2017094247.tif 000002
【特許請求の範囲】
【請求項１】
植物を水耕栽培する水耕栽培装置において液肥が通る配管を洗浄する配管洗浄方法であって、
前記配管に洗浄水を通過させて前記配管を洗浄する工程を含み、
前記洗浄水が、液体と固体とを含み、
前記液体は、前記配管内の汚れを溶解可能な性質を持ち、
前記固体は、前記汚れを剥離可能な性質と、前記液体に溶解可能な性質とを持つことを特徴とする配管洗浄方法。
【請求項２】
植物を水耕栽培する水耕栽培装置において液肥が通る配管を洗浄する配管洗浄方法であって、
前記配管に洗浄水を通過させて前記配管を洗浄する工程を含み、
前記洗浄水が、純水、氷粒を含む水、及び、水に溶解する塩を粒子状態で含む水のいずれかであることを特徴とする配管洗浄方法。
【請求項３】
前記洗浄水が、水に溶解する塩を粒子状態で含む水である請求項２に記載の配管洗浄方法。
【請求項４】
前記水に溶解する塩が、塩化ナトリウムである請求項３に記載の配管洗浄方法。
【請求項５】
前記液肥を貯める液肥タンク内で、水と、前記塩とを混合することにより前記洗浄水を作製する工程を含む請求項３から４のいずれかに記載の配管洗浄方法。
【請求項６】
前記水耕栽培装置が、前記液肥を貯める液肥タンクと、前記植物を栽培するための栽培トレーを有する植物栽培部材と、前記液肥タンクと前記植物栽培部材との間で前記液肥を循環させるための前記配管とを有し、
前記配管の洗浄が、前記洗浄水を前記液肥タンクと前記配管との間を循環させることで行われる請求項１から５のいずれかに記載の配管洗浄方法。
【請求項７】
前記洗浄水が前記植物栽培部材に供給されないように行われる請求項６に記載の配管洗浄方法。
【請求項８】
前記配管が、前記液肥タンクから前記植物栽培部材に前記液肥を送るための送り配管と、前記植物栽培部材から前記液肥タンクに前記液肥を戻すための戻し配管と、前記送り配管及び前記戻し配管を繋ぐバイバス配管とを有し、
前記バイパス配管を介して前記送り配管から前記戻し配管に前記洗浄水を送ることで、前記植物栽培部材に前記洗浄水が供給されないようにする請求項７に記載の配管洗浄方法。
【発明の詳細な説明】
【技術分野】
【０００１】
本件は、植物工場における水耕栽培装置の配管洗浄方法に関する。
【背景技術】
【０００２】
水耕栽培法は、養液栽培のうち固形培地を必要としないもののことをいい、成長制御が容易であり、周年生産が可能であることから、野菜、薬草、花卉等の植物の栽培に広く用いられている。
【０００３】
水耕栽培法は、ハウス栽培を含め、いわゆる植物工場でも用いられている。
閉鎖型の植物工場における水耕栽培では、閉鎖空間内の温度等の管理の精度が高いため、植物の育成環境に適した温度に管理できる利点がある。
【先行技術文献】
【特許文献】
【０００４】
【特許文献１】特開２０１２−１８２９９８号公報
【発明の概要】
【発明が解決しようとする課題】
【０００５】
植物を水耕栽培する水耕栽培装置を備える植物工場においては、生産管理、及び大規模化の点から、種々の自動化が行われている。その一例として、植物への液肥の自動供給が挙げられる。例えば、植物に供給される液肥は、液肥タンクと植物との間を配管を通って循環している。そして、植物への液肥の供給量は、配管の途中に設置されたポンプやバルブによって調整されている。しかし、液肥タンクと植物との間の配管内には種々の汚れが生じたり、その汚れが蓄積したりする。そうすると、液肥の供給量が変動するという問題が生じる。また、汚れを放置すると配管内にカビを含めた菌類等が発生するという問題も生じる。
【０００６】
そこで、本件は、水耕栽培を行う植物工場において液肥が通る配管を、植物に害を与えずに洗浄できる配管洗浄方法を提供することを目的とする。
【課題を解決するための手段】
【０００７】
１つの態様では、配管洗浄方法は、
植物を水耕栽培する水耕栽培装置において液肥が通る配管を洗浄する配管洗浄方法であって、
前記配管に洗浄水を通過させて前記配管を洗浄する工程を含み、
前記洗浄水が、液体と固体とを含み、
前記液体は、前記配管内の汚れを溶解可能な性質を持ち、
前記固体は、前記汚れを剥離可能な性質と、前記液体に溶解可能な性質とを持つ。
【０００８】
１つの態様では、配管洗浄方法は、
植物を水耕栽培する水耕栽培装置において液肥が通る配管を洗浄する配管洗浄方法であって、
前記配管に洗浄水を通過させて前記配管を洗浄する工程を含み、
前記洗浄水が、純水、氷粒を含む水、及び、水に溶解する塩を粒子状態で含む水のいずれかである。
【発明の効果】
【０００９】
１側面では、水耕栽培を行う植物工場において液肥が通る配管を、植物に害を与えずに洗浄できる配管洗浄方法が得られる。
【図面の簡単な説明】
【００１０】
【図１】図１は、植物工場の概要構成の一例を示す図である。
【図２】図２は、植物工場の概要構成の他の一例を示す図である。
【図３】図３は、配管洗浄方法の一例を説明するためのフローチャートである。
【図４】図４は、植物栽培部材の概要構成の一例を示す斜視図である。
【図５】図５は、植物栽培部材に取り付けられる栽培ユニットの一例を示す正面図である。
【図６】図６は、植物栽培部材における栽培トレーとその搬送器具の一例を示す分解斜視図である。
【発明を実施するための形態】
【００１１】
（配管洗浄方法）
開示の配管洗浄方法は、植物を水耕栽培する水耕栽培装置において液肥が通る配管を洗浄する配管洗浄方法である。
前記配管洗浄方法は、前記配管に洗浄水を通過させて前記配管を洗浄する工程を少なくとも含み、更に必要に応じて、その他の工程を含む。
１つの態様では、前記洗浄水が、液体と固体とを含み、前記液体は、前記配管内の汚れを溶解可能な性質を持ち、前記固体は、前記汚れを剥離可能な性質と、前記液体に溶解可能な性質とを持つ。
１つの態様では、前記洗浄水は、純水、氷粒を含む水、及び、水に溶解する塩を粒子状態で含む水のいずれかである。
【００１２】
本発明者らは、成長制御が容易であり、周年生産が可能である水耕栽培法を、植物の育成環境に適した温度や湿度等に管理できる植物工場において検討している。
植物を水耕栽培する水耕栽培装置を備える植物工場においては、生産管理、及び大規模化の点から、種々の自動化が行われている。その一例として、植物への液肥の自動供給が挙げられる。例えば、植物に供給される液肥は、液肥タンクと植物との間を配管を通って循環している。そして、植物への液肥の供給量は、配管の途中に設置されたポンプやバルブによって調整されている。
【００１３】
本発明者らは、配管を通して液肥を植物へ供給し、植物を育成するなかで、配管内に種々の汚れが生じることに気がついた。具体的には、着色されたポリ塩化ビニル製の配管の途中に、液肥の供給量を目視で観測するための透明なポリ塩化ビニル製の配管を設置していたところ、その透明なポリ塩化ビニル製の配管内壁に汚れの付着が観察された。前述のとおり、液肥タンクと植物との間の配管内に種々の汚れが生じ、その汚れが配管内に蓄積されると、液肥の供給量が変動するという問題が生じる。また、汚れを放置すると配管内にカビを含む菌類等が発生するという問題も生じる。
【００１４】
そこで、本発明者らは、鋭意検討を行い、配管を洗浄する洗浄水として、（１）純水、（２）液体と固体とを含む洗浄水氷粒を含む水（以下、「氷水」と称することがある）、及び、（３）水に溶解する塩を粒子状態で含む水（以下、「塩粒子含有水」と称することがある）、のいずれかを用いることで、配管内の汚れを落とすことができることを見出し、本発明の完成に至った。
【００１５】
配管内の汚れは、主に、液肥に含まれる成分（例えば、カルシウム）、藻類、植物の根から剥離した表皮である。これらが配管内に蓄積すると、液肥の供給量が変動する。更には、カビを含む菌類等が発生する場合もある。なお、液肥に含まれる成分、及び藻類は、主に、配管内壁に付着する。
【００１６】
これらの汚れを洗浄する洗浄水として純水を用いる場合、純水は、カルシウムなどの液肥に由来する汚れ成分を溶解する。また、通常、洗浄水による洗浄後には、配管内から洗浄水を除去するためのすすぎが必要になるが、前記洗浄水として純水を用いると、すすぎは不要となる。
【００１７】
また、前記汚れを洗浄する洗浄水として氷水を用いる場合、水がカルシウムなどの液肥に由来する汚れ成分を溶解するとともに、氷粒による物理的な衝撃により、配管内壁にこびりついた汚れを削り落とすことができる。
【００１８】
また、前記汚れを洗浄する洗浄水として塩粒子含有水を用いる場合、水がカルシウムなどの液肥に由来する汚れ成分を溶解するとともに、粒子状態の塩による物理的な衝撃により、配管内壁にこびりついた汚れを削り落とすことができる。
【００１９】
すなわち、氷水や塩粒子含有水は、液体と固体とを含み、前記液体は、汚れを溶解可能な性質を持ち、前記固体は、汚れを剥離可能な性質と、前記液体に溶解可能な性質とを持つ洗浄水の一例といえる。
【００２０】
＜純水＞
前記純水とは、不純物を含まないか又はほとんど含まない、純度の高い水を意味する。前記不純物としては、例えば、塩類、塩素などが挙げられる。
前記純水は、例えば、前記不純物を除去する方法により得られる。
前記純水としては、例えば、脱イオン水、蒸留水、ＲＯ水〔逆浸透膜（ＲＯ膜）で作られた水〕などが挙げられる。
【００２１】
＜氷粒を含む水（氷水）＞
前記氷水としては、特に制限はなく、目的に応じて適宜選択することができる。
前記氷水における氷粒の大きさは、少なくとも配管の口径よりも小さいものであればよい。氷粒の量としては、特に制限はなく、目的に応じて適宜選択することができる。
【００２２】
＜水に溶解する塩を粒子状態で含む水（塩粒子含有水）＞
前記塩粒子含有水としては、水に溶解する塩を粒子状態で含む水であれば、特に制限はなく、目的に応じて適宜選択することができる。ここで、「塩（えん）」とは、「ｓａｌｔ」であって、酸由来の陰イオン（アニオン）と塩基由来の陽イオン（カチオン）とがイオン結合した化合物を意味し、「しお」、即ち「塩化ナトリウム」自体を意味するものではない。
前記塩粒子含有水は、塩を溶解度を超えて含む水であることが、洗浄中に全ての塩が水に溶解して、前記塩粒子含有水中に粒子状態の塩がなくなることを防ぐことができる点で好ましい。ここで、溶解度とは、溶質（塩）が一定の量の溶媒（水）に溶ける限界量をいう。
前記塩粒子含有水における前記水に溶解する塩としては、特に制限はなく、目的に応じて適宜選択することができるが、塩化ナトリウムが好ましい。塩化ナトリウムによる塩粒子含有水により配管を洗浄した後、塩粒子が配管内に残留していたとしても、塩は水に溶けるため、配管内から洗浄水を除去するためのすすぎ工程において、水（例えば上水）を利用することができる。また、前記塩化ナトリウムは、入手方法も取扱方法も容易であり、また安価であるため、洗浄コストを抑えることができる。
また、前記塩化ナトリウムを高濃度に含む水は、藻類の汚れの除去に対して特に適している。これは、塩化ナトリウムが藻類の細胞を破壊するためと考えられる。
ただし、前記塩としては、カルシウム塩は好ましくはない。配管内壁の汚れは、カルシウムの結晶であることが多いため、前記塩粒子含有水の塩としてカルシウム塩を用いると、配管内壁の汚れが除去しにくい可能性がある。
【００２３】
前記洗浄水は、中性であることが好ましい。ここで、中性とは、ｐＨが７前後を意味する。
前記洗浄水が、酸性、又はアルカリ性であると、前記洗浄水が配管内に残留した場合に、植物の生育に影響を与える可能性がある。
一方、前記洗浄水が中性であると、前記洗浄水が配管内に残留した場合でも、植物の生育に影響を与えにくい。そのため、前記洗浄水が中性であると、前記洗浄水により配管を洗浄した後のすすぎの時間を短縮又は省略できる。
【００２４】
また、洗浄に、水不溶性の固形物（例えば、ビーズ）を含有する水を用いると、洗浄後に前記固形物が配管内に残留しないようにするのが難しい。また、前記固形物が配管内に残留した場合に、その除去に時間を要するため、洗浄作業全体が長期化する。
一方、前記洗浄水であると、氷粒や粒子状態の塩は、いずれ水に溶解するため、配管内に残留することを心配する必要がない。
【００２５】
水耕栽培に供される植物としては、特に制限はなく、目的に応じて適宜選択することができ、例えば、野菜、いちごなどが挙げられる。前記野菜としては、例えば、葉物野菜、根野菜などが挙げられる。前記葉物野菜としては、例えば、レタス、サンチュ、小松菜、ほうれん草などが挙げられる。
また、前記植物としては、特定の成分の含有量が少なくなるように、または多くなるように特殊な栽培方法で育てられた植物であってもよい。
【００２６】
水耕栽培は、播種、育苗、及び定植の３つの段階に分けることができる。
前記播種とは、種を撒いてから発芽するまでの段階である。前記播種においては、例えば、スポンジに種を撒いて、発芽させる。
前記育苗とは、発芽してからある程度の大きさになるまで苗を成長させる段階である。
前記定植とは、育苗した苗を収穫できる大きさまで成長させる段階である。
【００２７】
前記液肥は、前記水耕栽培において、育苗期、及び定植期の少なくともいずれかで、前記植物に供給される。
【００２８】
前記植物工場が閉鎖型の場合、閉鎖空間内では、通常、室内温度の調整が行われる。
前記閉鎖空間内の室内温度を調整する手段としては、特に制限はなく、目的に応じて適宜選択することができ、例えば、空調設備が挙げられる。前記空調設備は、例えば、前記閉鎖空間内に配置又は接続される。
【００２９】
以下に、図面を参照して実施形態を説明する。図面において、同様の構成要素には同じ参照番号が付されている。
【００３０】
図１及び図２は、水耕栽培装置を備える植物工場の一例の概略図である。
植物工場は、建物１００内に、植物栽培部材１、液肥タンク７１、配管等を備える水耕栽培装置を備える。
図１の植物工場においては、植物栽培部材１が上層階に配置され、液肥を貯蔵する液肥タンク７１が下層階に配置されている。
図２の植物工場においては、植物栽培部材１と液肥タンク７１とは、同階の別部屋に配置されている。
植物栽培部材１は、室内温度を調整できる空間（例えば閉鎖空間）内に配置されていてもよい。前記閉鎖空間は、例えば、クリーンルームとなっており、外気が流入しないようになっていてもよい。
【００３１】
液肥タンク７１と、植物栽培部材１とは、液肥が通る、送り配管７２、及び戻り配管７３により接続されている。なお、図１及び図２中、黒く太い線は、配管を表し、配管の横の矢印は、液肥が流れる方向を示している。
開示の配管洗浄方法の一例においては、液肥タンク７１から配管に洗浄水を送液し、配管を洗浄する。その方法について、図３のフローチャートに従って説明する。
【００３２】
＜液肥の排除（Ｓ１）＞
まず、液肥タンク７１及び配管中の液肥を排除する。
具体的には、戻り配管７３の途中にある三方バルブＢ１を、管Ｐ１と管Ｐ２とが通じるように切り替える。更に、バルブＢ２と、送り配管７２の途中から枝分かれしている管Ｐ５の途中にあるバルブＢ６とを、開く。一方、送り配管７２の途中にあるバルブＢ５と、送り配管７２の途中から枝分かれしている管Ｐ６の途中にあるバルブＢ４とは、閉じておく。そうすることにより、送り配管７２、戻り配管７３、及び液肥タンク７１にある液肥は、液肥タンク７１及び配管から排除される。
液肥の排除が終わると、三方バルブＢ１を、管Ｐ１と管Ｐ３とが通じるように切り替える。更に、バルブＢ２、及びバルブＢ６を閉じる。更に、バルブＢ４を開く。
【００３３】
＜洗浄水の作製（Ｓ２）＞
次に、空になった液肥タンク７１内で洗浄水を作製する。ここで、洗浄水としては、塩化ナトリウム粒子を含有する水（以下、「塩化ナトリウム粒子含有水」と称することがある）を用いる。塩化ナトリウム粒子含有水は、水に溶解度以上の塩化ナトリウムを加えることで、塩化ナトリウム飽和水溶液に塩化ナトリウム粒子が分散している状態の水である。
具体的には、液肥タンク７１に水を加える。この水は、液肥を作製する際に用いる水でよく、例えば、上水などが挙げられる。液肥タンク７１の高さの１／３程度に水が貯まったら、給水を停止する。そして、バルブＢ３及びバルブＢ４が開いた状態で、送り配管７１中のポンプＰを動かし、液肥タンク７１、バルブＢ３、ポンプＰ、及び管Ｐ６の間で、水を循環させる。そして、塩化ナトリウム粒子を、液肥タンク７１に投入し、水に塩化ナトリウムを溶解させる。この際、水は循環により揺動しているため、塩化ナトリウムの水への溶解が円滑に進む。更に、塩化ナトリウムの投入を続け、塩化ナトリウム飽和水溶液を作製する。更に、塩化ナトリウムの投入を続けることで、塩化ナトリウム粒子含有水が得られる。
洗浄水である塩化ナトリウム粒子含有水が得られたら、バルブＢ４を閉じ、バルブＢ５を開く。
【００３４】
＜配管の洗浄（Ｓ３）＞
次に、塩化ナトリウム粒子含有水を用いて、配管の洗浄を行う。
具体的には、ポンプＰを動かし、塩化ナトリウム粒子含有水を、送り配管７２と、戻り配管７３と、液肥タンク７１との間で、循環させる。その際、洗浄水が植物栽培部材１に流れ込まないようにするために、送り配管７２と、戻り配管７３とをつなぐバイパス配管７４に、洗浄水を通す。バイパス配管７４に洗浄水を通すには、三方バルブＢ８を、管Ｐ４とバイパス配管７４とが通じるように切り替え、かつ、三方バルブＢ９を、バイパス配管７４と管Ｐ１とが通じるように切り替える。この際、植物栽培部材１の栽培トレーに液肥を残しておけば、洗浄の間に液肥を循環させないことによる植物の生育へ悪影響を防ぐことができる。なお、栽培トレー自体は、植物を収穫後に洗浄できるので、前記配管洗浄方法により栽培トレーを洗浄する必要はない。
以上により、洗浄水により、配管内の汚れの除去を行うことができる。
洗浄時間としては、特に制限はなく、目的に応じて適宜選択することができ、例えば、配管の一部を透明な配管にし、目視により汚れ具合を確認して、洗浄の終了を決定してもよい。
【００３５】
＜洗浄水の排除（Ｓ４）＞
洗浄が終了すると、次に、配管から洗浄水を排除する。
具体的には、三方バルブＢ１を、管Ｐ１と管Ｐ２とが通じるように切り替える。更に、バルブＢ２と、送り配管７２の途中から枝分かれしている管Ｐ５の途中にあるバルブＢ６とを開く。更に、ポンプＰを停止して、配管から洗浄水を排除する。
配管から洗浄水が排除されたことは、例えば、配管に水を通し、電気伝導度（ＥＣ）やＮａイオンメータで測定することで確認することができる。この際、一般的に洗浄水として用いられる硫酸や硝酸と比べて、本発明で用いる洗浄水は、たとえ、植物栽培部材１に流れ込んでも、少量であれば植物の生育への影響がほとんどない。そのため、配管から洗浄水が排除されたことの確認は、一般的な洗浄水ほどに注意深くする必要がない。
【００３６】
次に、植物工場において、前記配管洗浄方法が適用できる水耕栽培装置における植物栽培部材の一例を説明する。
図４は、植物栽培部材の概要構成の一例を示す斜視図、図５は、植物栽培部材の一例を示す正面図である。
【００３７】
図４、図５では、栽培トレー４とその上に配置される照明器具５を有する栽培ユニット３を栽培ラック２内で高さ方向に多段に取り付け、さらに各段の栽培ユニット３を２つずつ平行に配置する構造を１つの植物栽培部材１としている。従って、図４では、閉鎖空間である植物栽培室、例えばクリーンルーム内の第１通路Ａに沿って植物栽培部材１Ａ、１Ｃ（１Ｂ、１Ｄ）が隣接して複数設置され、さらに、第１通路Ａに対してほぼ直交する奥行き方向の第２通路Ｂに沿っても植物栽培部材１Ａ、１Ｂ（１Ｃ、１Ｄ）が隣接して複数設置される。
【００３８】
しかし、第１通路Ａと第２通路Ｂが縦横に複数配置される場合に、第１通路Ａと第２通路Ｂにより区画されるそれぞれの領域において設置される複数の植物栽培部材１Ａ、１Ｂ、１Ｃ、１Ｄの集合を１つの植物栽培部材としてとらえてもよい。
【００３９】
なお、以下の説明において、植物栽培部材１を真上から見下ろした場合の第１通路Ａは、栽培トレー４の取り出し、取り付け作業が行われる領域であり、第１通路側を前側と表現する場合がある。
【００４０】
以下に説明する植物栽培部材１は主に水耕栽培に使用される。栽培する植物としては、例えば葉物野菜が考えられるが、当然ながら葉物野菜以外の植物を栽培対象としても構わない。
【００４１】
植物栽培部材１は栽培ラック２を有している。栽培ラック２は、骨組み構造を有し、第１通路Ａに沿って複数の支柱２ａが間隔をおいて床面Ｅ上に複数列で取り付けられている。支柱２ａは床面Ｅに対して略垂直に立てられる。また、第２通路Ｂに沿う行方向に隣接する複数本の支柱２ａは、複数箇所で第１の梁２ｂを介して互いに横方向に支えられ、第１の梁２ｂと支柱２ａは例えばネジ、リベット等により固定されている。
【００４２】
第１通路Ａに沿って隣り合う２本の支柱２ａには、第１通路Ａから見る図２の正面図に例示するように、高さ方向に間隔をおいて配置される複数本の第２の梁２ｃが横方向に渡され、支柱２ａと第２の梁２ｃは例えばネジ、リベット等により固定されている。高さ方向に配置される複数の第２の梁２ｃには、後述するように栽培トレー４と照明器具５が取り付けられる。
【００４３】
図４では、第１通路Ａに沿って１つの列に配置される２つの支柱２ａの間の第２の梁２ｃに栽培ユニット３が取り付けられる構造物を１つの植物栽培部材１としている。これによれば、第２通路Ｂに沿って、第１の植物栽培部材１Ａと第２の植物栽培部材１Ｂが隣接し、さらに、第３の植物栽培部材１Ｃと第４の植物栽培部材１Ｄが隣接する。また、第１通路Ａに沿って、第１の植物栽培部材１Ａと第３の植物栽培部材１Ｃが隣接し、さらに、第２の植物栽培部材１Ｂと第４の植物栽培部材１Ｄが隣接する。
【００４４】
即ち、図４では、２つの植物栽培部材１が第１通路Ａに沿って隣接して配置され、さらに別の２つの植物栽培部材１が第２通路Ｂに沿って隣接して配置されるとともに、隣接する植物栽培部材１の支柱２ａ同士が第１の梁２ｂを介して接続された例を示している。しかし、これらの植物栽培部材１を合せて、１つの植物栽培部材と見ることもできる。植物栽培部材１に、何本の支柱２ａ、何本の第１の梁２ｂ、何本の第２の梁２ｃを含めるかは、栽培すべき植物の量、植物栽培部材１を設置する空間の広さ、載置する植物や器具を含めた重さに対する強度などを考慮して適宜決定してもよい。
【００４５】
次に、栽培トレー４とこれを搬送するための搬送器具６について、図５の正面図と図６の斜視図を参照して説明する。
【００４６】
栽培トレー４は、横に長い凹状の栽培容器４ａとその上部の開口を覆う長方形の平板状の蓋体４ｂを有し、搬送器具６を用いて栽培ラック２に搬入され、栽培ラック２から搬出される。
【００４７】
搬送器具６は、第２通路Ｂに沿った奥行き方向に隣接する複数の栽培ラック２の第２の梁２ｃの上に渡されるレール７の上を滑って前後方向、即ち第２通路Ｂに沿った奥行き方向に移動される。レール７は、断面が四角形状を有し、第２の梁２ｃの上で幅方向に間隔をおいて平行に少なくとも２本取り付けられている。搬送器具６は、平面形状が略四角形の枠状に形成され、その両側には、レール７の上面と側面の角に内側から嵌め合わされる断面Γ字形状の摺動部６ａがレール７に沿える直線状に形成されている。
【００４８】
搬送器具６の両側の摺動部６ａのそれぞれの上には、搬送器具６の前端部、後端部に沿って栽培トレー４が横長に置かれる部分を有し、それらの部分には栽培トレー４を嵌め入れるＵ字状の容器嵌合部６ｂが第１通路Ａ側、即ち正面側から見て、前後に２個以上で形成されている。これにより、複数の栽培トレー４が搬送器具６の上に位置決めされて取り付けられることになる。
【００４９】
また、第１通路Ａから見て、搬送器具６の前端には１以上のハンドル６ｃが取り付けられている。例えば、複数のハンドル６ｃが横方向に間隔をおいて取り付けられている。また、枠状の搬送器具６の中央寄りの部分には、が取り付けられていてもよい。
【００５０】
栽培トレー４を栽培ラック２の中に収納する場合、作業者は、まず、栽培容器４を搬送器具６の容器嵌合部６ｂに上から嵌め合わせ、その後に第１通路Ａ側から搬送器具６の摺動部６ａの後端部を栽培ラック２内のレール７の上に載せる。さらに、作業者は、搬送器具６のハンドル６ｃに手を添えて搬送器具６を押し込みながら摺動部６ａをレール７上に滑らせ、設定位置で停止させる。これにより、栽培ラック２に対する栽培トレー４の取り付け作業は終了する。これに対し、栽培トレー４を栽培ラック２から取り出す場合には、作業者はハンドル６ｃを手で握りながら第１通路Ａに向けて搬送器具６を引き出し、搬送器具６の摺動部６ａをレール７の上に滑らせ、さらに搬送器具６を支持しながら、栽培トレー４を搬送器具６ごと栽培ラック２から取り出す。
【００５１】
作業者は、取り出された栽培トレー４を搬送器具６に載せたままの状態で別の処理装置の栽培ラックに収納し変えたり、栽培の際に作業しやすいように栽培トレー４を搬送器具６からおろしたりする。ここで、別の処理装置として例えば、供給する液肥の種類が異なり、本実施形態と同様な構造の装置が考えられる。
【００５２】
このように、栽培ラック２に設けたレール７上を摺動する搬送器具６を使用すると、複数の栽培トレー４を一度に栽培ラック２に出し入れすることができるので作業効率が高くなる。しかも、搬送器具６の上には、栽培トレー４を嵌め込む複数の容器嵌込部６ｂが間隔をおいて前後に形成されているので、複数の栽培トレー４を容易に位置決めすることができ、生育する複数の植物Ｓの領域の間隔を容易に確保することがきる。
【００５３】
また、植物栽培部材１の設置面積に対して、栽培トレー４の設置台数をできるだけ多くすることで、栽培する植物Ｓの数、ひいては収穫量を上げられることを鑑み、植物栽培部材１の両脇に通路を設けるのではなく、図４に示したように、２台の植物栽培部材１Ａと植物栽培部材１Ｂとをいわば背中合わせの状態で隣接して設置し、１つの植物栽培部材１に対しては作業を行う正面にのみ第１通路Ａを設けることが考えられる。その場合、上記の構造の搬送器具６を用いることにより、植物栽培部材１の奥にある栽培トレー４に対する作業がし易くなり、また、栽培トレー４を移動させる際に作業がし易くなる。
【００５４】
なお、搬送器具６は、奥行き方向、すなわち図４の第２通路Ｂに沿った方向に隣接する植物栽培部材１Ａと１Ｂとの同じ段にそれぞれ載せる栽培トレー４をも載置できる大きさに形成されてもよい。例えば、図４及び図６のように、１つの植物栽培部材１内の１つの段で、奥行き方向に２つの栽培トレー４を載置する場合に、植物栽培部材１Ａと１Ｂとを接続させれば、１つの段で４つの栽培トレー４を載置できることになる。そこで、搬送器具６を図６の例示よりも大型化させるとともに、容器嵌込部６ｂの数を増やすことで、例えば、１つの搬送器具６上に４つの栽培トレー４を載置できるようにしてもよい。
また、図６の例では、栽培トレー４には栽培ポット９をはめ込むポット嵌入孔４ｄが一列に開けられた例を示しているがこれに限る必要は無い。搬送器具６には、例えば、栽培トレー４として、栽培ポット９を縦横に複数配置する奥行きの広い育種用栽培トレーを載せてもよく、この場合には、容器嵌込部は１組だけ設けることもできる。
【００５５】
そのような構造を有する搬送器具６上に載置される栽培トレー４について図６を参照して説明する。
【００５６】
栽培トレー４の板状の蓋体４ｂの両端寄りには、図６に示すように、上から液肥ホース８が差し込まれるホース差込孔４ｃが形成され、それらの間の領域には、栽培ポット９が嵌め入れられる複数のポット嵌入孔４ｄが長手方向に間隔をおいて直線上に形成されている。
【００５７】
ところで、植物の収穫量を上げることを鑑みると、１つの栽培トレー４で栽培する植物の数を増やすことが望ましい。しかし、植物の生育には適度な幅、例えば隣会う植物が生育した際に葉同士が重ならないように、例えば、レタス類や小松菜などの葉物野菜であれば、蓋体４ｂ上で１５センチ程度の幅が必要である。もちろん、栽培対象とする植物の種類に応じて、どの程度の幅にするかを適宜決めることができる。
【００５８】
栽培トレー４は、上記のように液肥を溜めたり流したりする桶のような栽培容器４ａと、栽培容器４ａの上部の開口を覆う蓋体４ｂとを有し、さらに蓋体４ｂには複数のポット嵌入孔４ｄ、ホース差込孔４ｃが形成されている。ポット嵌入孔４ｄには、育苗された植物Ｓが植えられたコップ状の栽培ポット９が嵌め入れられる。栽培ポット９の上部の縁がポット嵌入孔４ｄの縁に引っかかるので、蓋体４ｂを持ち上げると、栽培ポット９も持ち上がることになる。
【００５９】
栽培ポット９は、図６に例示するように、上端に開口を有する有底円筒形状を有し、上端が下端より広いテーパー状の外周面を有している。その中には、所定期間で育苗された植物Ｓ、例えばレタス類の苗が植えられた培地となるスポンジ（不図示）が挿入される構造を有している。スポンジとして例えばキュービックウレタンスポンジが使用される。また、栽培ポット９の下部の周囲には植物の根がはみ出すことができる幅の縦長スリット９ａが周方向に複数形成され、さらに、その底部には複数の孔が（不図示）形成されている。
【００６０】
栽培トレー４の栽培容器４ａの一端寄りは、図５に示すように、蓋体４ｂの一端側のホース差込孔４ｃに差し込まれる液肥ホース８を通して液肥が供給される液肥供給領域４ｅとなる。また、栽培容器４ａの他端寄りの底部には、液肥排出孔が形成されている。液肥排出孔とその周辺には、栽培トレー４の栽培容器４ａ内の液肥が設定の高さを超えないように液量を調整する液量調整器１０が取り付けられている。
【００６１】
液量調整器１０は、漏斗構造を有し、その底の液肥排出孔には下方に延びる管状の足が形成されている。さらに、液量調整器１０の底から設定の高さを超えた領域には、縦長の複数の排液スリットが周方向に沿って形成されている。これにより、栽培トレー４の栽培容器４ａ内で設定高さに達した液肥が排液スリットを通して液量調整器１０の中に溢れて入り、その下の管状の足１０ｂを通して下方に排出される。
【００６２】
栽培トレー４内には、液肥栽培のため、通常は液肥が流れている状態であり、上下段の栽培トレー４間に液肥を循環させるため、上段の栽培トレー４から排出された液肥を、下段の栽培トレー４へ液肥ホース８で流している。
【００６３】
クリーンルーム内のような、閉鎖されていない空間と比較して菌が非常に少ない状態で育てることで、レタス類や小松菜など葉物野菜の可食部である葉は洗わなくても食べられる程度の清潔さを保っている。一方、液肥の中には、植物の老廃物や肥料内に元々含まれていた雑菌などが混入している可能性がある。従って可食部を清潔な状態に保つためには、液肥が飛び散って葉にかかることを避ける必要がある。このために、栽培トレー４には、液肥には触れさせたくない葉と液肥に接する必要のある根とを空間的に分離する蓋４ｂが配置されている。
一方で、栽培している植物を、栽培ラック２から、上記のように搬送器具６により栽培トレー４ごと移動させる必要がある。例えば、液肥の種類を変えるために別の棚に移動したり、栽培の際に作業しやすいように栽培トレー４を棚から下ろしたりするからである。
【００６４】
従って、植物栽培部材１に対して栽培トレー４を移動可能にするためには、液肥ホース８を栽培トレー４に固定してしまうと邪魔になるため、液肥ホース８と栽培トレー４を簡単に離せるようにできる必要がある。さらに、複数の栽培トレー４間で液肥を飛び散らせずに循環させることと、栽培トレー４の移動時に容易に取り外せることの両立が必要である。このため、次に示すような構造の液肥ホース８を採用する。
【００６５】
搬送器具６に載置された栽培トレー４は、図５に示したように、植物栽培部材１内で間隔をおいて上下に複数段で配置されるが、上下に隣り合う栽培トレー４の向きは、液肥供給領域４ｅと液量調整器１０の取り付け位置が左右逆になるように順に配置される。即ち、栽培トレー４の液肥供給領域４ｅと液量調整器１０の取り付け位置は１つおきに同じ向きとなる。そして、最も上の段の栽培トレー４の液肥供給領域４ｅには液肥供給装置（不図示）から液肥ホース８を通して液肥が供給され、供給された液肥は、栽培トレー４内で設定の高さになると液量調整器１０のスリットを通してその下の足１０ｂに向けて漏れ出し、足１０ｂに接続された液肥ホース８を通して下の段の栽培トレー４の液肥供給領域４ｅに供給される。このようにして、複数の段に配置された栽培トレー４に嵌め込まれた栽培ポット９で栽培される植物Ｓには液肥ホース８を介して上から下に向けて順に液肥が送られ、液肥供給装置により所定の温度に制御された液肥が、常に交換されながら供給されることになる。
【００６６】
なお、最も下の段に取り付けられる栽培トレー４の液量調整器１０の足１０ｂは、図５に示したように、中継管１３を介して排液回収管１４の開口１４ａ内に実質的に接続され、回収された液肥は液肥タンクにより処理が施されて再び液肥として最も上の段の栽培トレー４に供給される。
【００６７】
植物栽培部材１において上下に間隔をおいて配置される複数の栽培トレー４には、ホース差込孔４ｃを通して液肥供給領域４ｅに液肥ホース８が差し込まれ、ポット嵌入孔４ｄには栽培ポット９が嵌め入れられる。栽培ポット９内のスポンジ（不図示）には例えば育苗工程を終えた植物Ｓが植えられている。その植物の育成には光合成をさせるために十分な量の光が必要である。従って、次に説明するように、植物に対する照明器具５の距離を植物の成長に合せて可変にできることが望ましい。
【００６８】
照明器具５は、図５の正面図に例示するように、栽培トレー４に沿った長い形状を有し、例えば、直管状蛍光灯、或いは、直線状にＬＥＤを並べた照明灯が使用され、その一端もしくは両端には電力供給用の配線コード１５が接続されている。照明器具５は、昇降機１６を介して第２の梁２ｃのウェブに取り付けられている。昇降機１６は、断面Ｔ字状の第２の梁２ｃのウェブに上端が軸支されて上下方向に伸縮可能な折りたたみ式のアーム１６ａを複数有している。複数のアーム１６ａの中間の折り返し部分は、梁を介して回動可能に互いに接続されている。複数のアーム１６ａのそれぞれの下端には、断面が逆Ｔ字状のプレート１６ｃが軸支されている。
【００６９】
プレート１６ｃの下端には、前後に照明器具５を支持する支持具１６ｄが複数箇所に取り付けられている。支持具１６ｄは、例えば中央に凹部が形成され、凹部内にプレート１６ｃがネジ、リベット等により固定され、これにより、プレート１６ｃが２つの照明器具５の間に位置することになり、照明器具５と第２の梁２ｃの間隔を小さくしている。さらに、プレート１６ｃの左右両端寄りには上側に引き出されるワイヤ１７が取り付けられている。ワイヤ１７は、図５に示すように、第２の梁２ｃのウェブに回動自在に取り付けられたプーリー１８を通してコイルバネ１９の両端に接続され、下に落ちない力で上側に引っ張られている。
【００７０】
そのような構造の昇降機１６に上下に移動可能に取り付けられた照明器具５によれば、植物の成長に合わせて高さを変えることができるとともに、照明器具５を高く上げることにより栽培トレー４の着脱等の作業がしやすくなる。
【００７１】
ところで、１個の植物のうち、葉などの色づきや成長に差が出ないようにするためには、植物に対して上から、かつ地面方向以外の各面から光が照射されることが望ましいと考えられよう。しかし、上記のように骨組だけの栽培ラック２では、空気の流通性を向上して植物育成に適正な温度に保つことはできるが、照明器具５から発せられた光が支柱２ａ、第１の梁２ｂ、第２の２ｃの間の開放空間を透過してそのまま拡散してしまう。このため、光が拡散せずに植物方向に戻るような光反射部材を栽培ラック２の周りに設けることが好ましい。そこで、植物に対する照明器具５の距離を変更しても、照明から発せられた光を植物方向に反射可能な次のような構造の光反射板（光反射部）２０を栽培ラック２の周りに設けることが好ましい。
【００７２】
光反射板２０は、植物栽培部材１内に収納された状態の栽培トレー４のうち複数のポット嵌入孔４ｄが形成されている領域より外側の上方に配置されている。光反射板２０は、ガラス、銀膜などからなる鏡や、鏡面仕上げの金属板であってもよいが、表面に光沢のある白い板、例えば白い塩化ビニール板で十分である。光反射板２０は、照明器具５から照射された光の栽培トレー４上での光強度分布を略均一にするために配置される。即ち、光反射板２０は、少なくとも、照明器具５の両側端の下の位置に配置される栽培ポット９で育つ植物への光の照射量を光反射により補うものである。これにより、栽培トレー４の上の光強度分布をほぼ等しくすることができ、栽培ポット９の位置にかかわらずにほぼ等しい条件で植物を成長させることができる。
【００７３】
なお、照明器具５が蛍光灯の場合には、図５に例示するように。蛍光管の上に反射鏡２３を配置する。反射鏡２３は、図５に例示するように、蛍光管を包む袋状になり、上面側に反射面を有し、下面側に透明フィルムを有している。また、蛍光管に袋状の反射鏡２３を固定するためにクリップ２４を用いてもよい。
【００７４】
このような構造によれば、装着自在な光反射板２０を作業の最後に取り付けることができる。即ち、フレーム状の栽培ラック２内への栽培トレー４の設置、液肥ホース８の取り付けなどの作業やそれらの位置の確認を第２通路Ｂ側からも行なった後に、光反射板２０を植物栽培部材１に取り付けることができる。
【００７５】
以上のような植物栽培部材１では、まず、発芽した植物Ｓが植えられたスポンジ（不図示）を入れた栽培ポット９を栽培トレー４のポット嵌入孔４ｄに嵌め込む。その後に、栽培トレー４を搬送器具６の容器嵌合部６ｂに嵌め合わせる。さらに、搬送器具６の両側の摺動部６ａを栽培ラック２内のレール７の上に載せ、上記のような操作により搬送器具６を栽培ラック２の中に収める。この場合、最も下に取り付けられる栽培トレー４の液量調整器１０を排液回収管１４の開口１４ａ内に中継管１３を介して接続する。また、上下に配置される栽培トレー４の供給領域４ｅと液量調整器１０の位置が左右逆になるように順に配置する。
【００７６】
このように複数の栽培トレー４を配置した後に、上側の栽培トレー４の液量調整器１０の管状の足１０ｂに、液肥ホース８の上端を実質的に接続した状態で、液肥ホース８の長さを伸ばして、例えば湾曲した第１ホース８ａから第２ホース８ｂを下に引き出して、その下段の別の栽培トレー４のホース差込孔４ｃに挿入する。この場合、第２ホース８ｂの下端側部に設けられた流通孔８ｄを第１ホース８ａにより塞がらないように調整する。なお、最も上段の栽培トレー４のホース嵌入孔４ｃには、液肥タンクの給液口（不図示）に繋がる液肥ホース８を実質的に接続する。
【００７７】
この後に、光反射板２０のスリット２０ｓに照明器具５の配線ケーブル１５を通すとともに、その下端を栽培トレー４に乗せる。その後に、昇降機１６により照明器具５の高さを調整する。さらに、光反射板２０の角度等を調整する。
【００７８】
また、液肥タンクから液肥ホース８を通して最上段の栽培トレー４内の液肥供給領域４ｅに液肥を供給することにより、栽培トレー４内で液肥の嵩が増し、液量調整器１０のスリットに達する高さになると、そこから液肥ホース８を通して下段の別の栽培トレー４の液肥供給領域４ｅからその内部に液肥が供給される。その中の液肥の量が液量調整器１０のスリットに達成すると、液量調整器１０から液肥ホース８を通してさらに下段の栽培トレー４に液肥が供給される。そのように供給された液肥は、最下段の栽培トレー４の液量調整器１０を通して排液回収管１４に放流される。
【００７９】
このような液肥供給の循環を設定日数で行わせると、液肥から栄養分を吸収し、照明器具５から光が照射された植物Ｓは成長する。その成長に合わせて昇降機１６を用いて照明器具５の高さを変える。その設定日数が経過すると、栽培トレー４内の植物を別な環境に置くために、栽培トレー４を植物栽培部材１から別の環境の装置に搬出する。
【００８０】
栽培トレー４の取り出しには、まず液肥供給装置による液肥の供給を停止し、液肥ホース８を通して液肥が流れなくなったことを確認し、液肥ホース８の長さを縮める。例えば、第２ホース８ｂを第１ホース８ａ上でスライドさせて押し上げる。この場合、第２ホース８ｂの下端側部の液流孔８ｄを第１ホース８ａにより塞いでもよい。さらに、照明器具５の発光を停止してもよい。この後に、液肥ホース８を栽培トレー４のホース差込孔４ｃから外す。その後に、レール７上に搬送器具６を滑らして第１通路Ａに引き出して植物栽培部材１から栽培トレー４を外部に取り出し、搬送器具６に栽培トレー４を載せたままの状態で、別の装置に移し替える。
【００８１】
ところで、栽培トレー４に置いた光反射板２０は、液肥ホース８を外す前又は後に、栽培トレー４の上から取り除き、作業をしやすくすることもできる。なお、光反射板２０は、栽培ラック２の支柱２ａ、第２の梁２ｃに立掛けてもよい。
【００８２】
このように、植物栽培部材１に対する栽培トレー４の着脱を容易にすることができ、作業効率を高めることができる。
【００８３】
以上の実施形態に関し、更に以下の付記を開示する。
（付記１）
植物を水耕栽培する水耕栽培装置において液肥が通る配管を洗浄する配管洗浄方法であって、
前記配管に洗浄水を通過させて前記配管を洗浄する工程を含み、
前記洗浄水が、液体と固体とを含み、
前記液体は、前記配管内の汚れを溶解可能な性質を持ち、
前記固体は、前記汚れを剥離可能な性質と、前記液体に溶解可能な性質とを持つことを特徴とする配管洗浄方法。
（付記２）
植物を水耕栽培する水耕栽培装置において液肥が通る配管を洗浄する配管洗浄方法であって、
前記配管に洗浄水を通過させて前記配管を洗浄する工程を含み、
前記洗浄水が、純水、氷粒を含む水、及び、水に溶解する塩を粒子状態で含む水のいずれかであることを特徴とする配管洗浄方法。
（付記３）
前記洗浄水が、水に溶解する塩を粒子状態で含む水である付記２に記載の配管洗浄方法。
（付記４）
前記水に溶解する塩が、塩化ナトリウムである付記３に記載の配管洗浄方法。
（付記５）
前記液肥を貯める液肥タンク内で、水と、前記塩とを混合することにより前記洗浄水を作製する工程を含む付記３から４のいずれかに記載の配管洗浄方法。
（付記６）
前記水耕栽培装置が、前記液肥を貯める液肥タンクと、前記植物を栽培するための栽培トレーを有する植物栽培部材と、前記液肥タンクと前記植物栽培部材との間で前記液肥を循環させるための前記配管とを有し、
前記配管の洗浄が、前記洗浄水を前記液肥タンクと前記配管との間を循環させることで行われる付記１から５のいずれかに記載の配管洗浄方法。
（付記７）
前記洗浄水が前記植物栽培部材に供給されないように行われる付記６に記載の配管洗浄方法。
（付記８）
前記配管が、前記液肥タンクから前記植物栽培部材に前記液肥を送るための送り配管と、前記植物栽培部材から前記液肥タンクに前記液肥を戻すための戻し配管と、前記送り配管及び前記戻し配管を繋ぐバイバス配管とを有し、
前記バイパス配管を介して前記送り配管から前記戻し配管に前記洗浄水を送ることで、前記植物栽培部材に前記洗浄水が供給されないようにする付記７に記載の配管洗浄方法。
【符号の説明】
【００８４】
１      植物栽培部材
２      栽培ラック
２ａ    支柱
２ｂ    第１の梁２ｂ
２ｃ    第２の梁２ｃ
３      栽培ユニット
４      栽培トレー
４ａ    栽培容器
４ｂ    蓋体
４ｃ    ホース差込孔
４ｄ    ポット嵌入孔
４ｅ    液肥供給領域
５      照明器具
５ａ    蛍光管
６      搬送器具
６ａ    摺動部
６ｂ    容器嵌合部
６ｃ    ハンドル
６ｄ    補強用梁
７      レール
８      液肥ホース
８ａ    第１ホース
８ｂ    第２ホース
８ｃ    開口
８ｄ    液流孔
９      栽培ポット
９ａ    縦長スリット
１０    液量調整器
１０ｂ  足
１３    中継管
１４    排液回収管
１４ａ  開口
１５    配線コード
１６    昇降機
１６ａ  アーム
１６ｃ  プレート
１６ｄ  支持具
１７    ワイヤ
１８    プーリー
１９    コイルバネ
２０    光反射板
２３    反射鏡
２４    クリップ
７１    液肥タンク
７２    送り配管
７３    戻り配管
７４    バイパス配管
１００  建物
【図１】
2017094247.tif 000003
【図２】
2017094247.tif 000004
【図３】
2017094247.tif 000005
【図４】
2017094247.tif 000006
【図５】
2017094247.tif 000007
【図６】
2017094247.tif 000008